(57)【要約】【課題】高性能住宅の設計を支援する住宅設計支援システム等を提供すること。【解決手段】住宅の設計を支援する住宅設計支援システムであって、省エネルギー性能及び居住快適性を含む住宅性能についてのアドバイス・改善案データを記憶したアドバイス・改善案データ記憶手段と、敷地、及び居住者情報等の住宅設計に必要な情報を含む設計準備情報を入力する設計準備情報入力手段と、前記入力された設計準備情報に基づいて、前記アドバイス・改善案データ記憶手段から対応するアドバイス・改善案データを抽出するアドバイス・改善案データ抽出手段と、前記抽出されたアドバイス・改善案データを表示するアドバイス・改善案表示手段と、を有することを特徴とする住宅設計支援システム。【選択図】図２
2015162150.tif 000002
【特許請求の範囲】
【請求項１】
住宅の設計を支援する住宅設計支援システムであって、
省エネルギー性能及び居住快適性を含む住宅性能についてのアドバイス・改善案データを記憶したアドバイス・改善案データ記憶手段と、
敷地、及び居住者情報等の住宅設計に必要な情報を含む設計準備情報を入力する設計準備情報入力手段と、
前記入力された設計準備情報に基づいて、前記アドバイス・改善案データ記憶手段から対応するアドバイス・改善案データを抽出するアドバイス・改善案データ抽出手段と、
前記抽出されたアドバイス・改善案データを表示するアドバイス・改善案表示手段と、
を有することを特徴とする住宅設計支援システム。
【請求項２】
前記設計準備情報入力手段により入力された前記設計準備情報に基づき、住宅構造を定めた一次設計データを作成する一次設計データ作成手段をさらに有し、
前記アドバイス・改善案データには、前記一次設計データ作成手段により作成される一次設計データについてのアドバイス及び改善案が含まれる請求項１に記載の住宅設計支援システム。
【請求項３】
前記一次設計データには、
住宅使用者のライフスタイルや家族構成等のパーソナルデータ、建物の断熱性能、平面プラン、及び設備機器の情報のうちの、少なくとも一つが含まれる請求項１又は２に記載の住宅設計支援システム。
【請求項４】
相互にネットワークで接続された、管理サーバ、住宅設計委託者端末、及び設計者端末を有し、
前記設計準備情報入力手段が、前記住宅設計委託者端末に具備され、
前記アドバイス・改善案データ記憶手段及び前記アドバイス・改善案データ抽出手段が、前記管理サーバに具備され、
前記アドバイス・改善案表示手段が、前記設計者端末及び前記住宅設計委託者端末に具備された請求項１〜３の何れか１項に記載の住宅設計支援システム。
【請求項５】
住宅の設計を支援する住宅設計支援プログラムであって、
コンピュータに、
敷地、及び居住者情報等の住宅設計に必要な情報を含む設計準備情報に基づいて、前記アドバイス・改善案データ記憶手段から対応するアドバイス・改善案データを抽出させ、
前記抽出されたアドバイス・改善案データを表示させることを特徴とする住宅設計支援プログラム。
【請求項６】
請求項５に記載の住宅設計支援プログラムを記録したコンピュータ読み取り可能な記録媒体。
【請求項７】
請求項５に記載の住宅設計支援プログラムを備えたコンピュータ。
【請求項８】
住宅の設計を支援する住宅設計支援方法であって、
コンピュータに、
敷地、及び居住者情報等の住宅設計に必要な情報を含む設計準備情報に基づいて、前記アドバイス・改善案データ記憶手段から対応するアドバイス・改善案データを抽出させる工程と、
前記抽出されたアドバイス・改善案データに対応するアドバイス・改善案を表示させる工程と、
を含むことを特徴とする住宅設計支援方法。
【発明の詳細な説明】
【技術分野】
【０００１】
本発明は、住宅設計支援システム、住宅設計支援プログラム、該プログラムを記憶した記録媒体、コンピュータ、及び住宅設計支援方法に関する。
【背景技術】
【０００２】
昨今では、省エネルギー性や居住快適性等の観点から住宅の高性能化が求められており、建物性能や設備機器の選定等、住宅の設計段階において設計者が考慮する事項が増加している。
【０００３】
例えば、特許文献１には、住宅の高性能化における一要因としての省エネルギー性を図ることを目的とした住宅支援設計システムが開示されている。
【０００４】
この住宅支援設計システムでは、顧客の好みの外観デザインや間取りに応じて住宅の一次設計がなされた後に、その一次設計がなされた住宅について断熱性能が評価され、その評価結果に基づいて、一次設計済みの住宅の断熱機能部位について二次設計としての設計変更が行われる。すなわち、法令基準や敷地の地域情報に照らして住宅の基準設計とも言うべき一次設計を行った後に、断熱性能を加味して住宅の高性能化を図るものである。
【先行技術文献】
【特許文献】
【０００５】
【特許文献１】特開２０１２−１０８５７１号公報
【発明の概要】
【発明が解決しようとする課題】
【０００６】
上記特許文献１は、断熱性能の観点を重視して住宅の設計変更し省エネルギー性を追求したものである。しかし、住宅性能の最適化を図るにあたり、居住者の快適性等のその他、考慮されるべき重要な事項は断熱性能以外に数多く存在する。従って、所望の住宅性能を得るためには断熱性を考慮するだけでは不十分であるという問題があった。
【０００７】
本発明は、上記事情に鑑みてなされたものであり、その目的は、高性能住宅の設計を支援する住宅設計支援システム、住宅設計支援プログラム、該プログラムを記憶した記録媒体、コンピュータ、及び住宅設計支援方法を提供することを目的とするものである。
【課題を解決するための手段】
【０００８】
前記課題を解決する本発明は、
住宅の設計を支援する住宅設計支援システムであって、
省エネルギー性能及び居住快適性を含む住宅性能についてのアドバイス・改善案データを記憶したアドバイス・改善案データ記憶手段と、
敷地、及び居住者情報等の住宅設計に必要な情報を含む設計準備情報を入力する設計準備情報入力手段と、
前記入力された設計準備情報に基づいて、前記アドバイス・改善案データ記憶手段から対応するアドバイス・改善案データを抽出するアドバイス・改善案データ抽出手段と、
前記抽出されたアドバイス・改善案データを表示するアドバイス・改善案表示手段と、
を有することを特徴とする。
【０００９】
本発明によれば、住宅を設計するにあたり、敷地、及び居住者情報等の住宅設計に必要な情報の入力に基づき、省エネルギー性能及び居住快適性を含む住宅性能の観点から適切なアドバイス・改善案を抽出して表示することができる。
【００１０】
従って、設計者等は、この提示されたアドバイス・改善案を参照して、所望の省エネルギー性や居住快適性等の性能を有する住宅の設計を行うことができる。また、顧客（設計委託者）等についても、上記アドバイス・改善案を参照して適切な設計プランの作成に参加することができる。特に、アドバイス・改善案を、「窓の断熱性能を向上させるべきである」等の簡素な内容を用いれば、設計者等はその表示内容を見て、設計にあたり一見してどの点を改良すればいいか判断することができる。
【００１１】
また、本発明に係る住宅設計支援システムでは、前記設計準備情報入力手段により入力された前記設計準備情報に基づき、一次設計データを作成する一次設計データ作成手段をさらに有し、前記アドバイス・改善案データには、前記一次設計データ作成手段により作成される一次設計データについてのアドバイス・改善案が含まれることが好ましい。
【００１２】
これにより、設計プランの基本案となる一次設計データを予め作成して、この一次設計データについてアドバイス・改善案を参照することができるので、設計者による円滑な高性能住宅の設計に資することとなる。
【００１３】
さらに、前記一次設計データには、住宅使用者のライフスタイルや家族構成等のパーソナルデータ、建物の断熱性能、平面プラン、及び設備機器の情報のうちの、少なくとも一つが含まれることが好ましく、特に一次設計データには、これら情報の全てが含まれることが最も好ましい。
【００１４】
このように各種情報が一次設計データに含まれることにより、住宅の設計や居住の観点からより良好なアドバイスや改善案を作成することができる。特に、設計準備情報に住宅使用者の家族構成等のパーソナルデータが含まれることにより、住宅使用者の家族構成やライフスタイルを考慮して、住宅における省エネ効率の高い冷暖房運転方法や照明方法をも提案することができる。
【００１５】
また、本発明では、
相互にネットワークで接続された、管理サーバ、住宅設計委託者端末、及び設計者端末を有し、
前記設計準備情報入力手段が、前記住宅設計委託者端末に具備され、
前記アドバイス・改善案データ記憶手段及び前記アドバイス・改善案データ抽出手段が、前記管理サーバに具備され、
前記アドバイス・改善案表示手段が、前記設計者端末及び前記住宅設計委託者端末に具備されることが好ましい。
【００１６】
さらに、本発明は、
住宅の設計を支援する住宅設計支援プログラムであって、
コンピュータに、
敷地、及び居住者情報等の住宅設計に必要な情報を含む設計準備情報に基づいて、前記アドバイス・改善案データ記憶手段から対応するアドバイス・改善案データを抽出させ、
前記抽出されたアドバイス・改善案データを表示させることを特徴とする。
【００１７】
また、本発明は、前記住宅設計支援プログラムを記録したコンピュータ読み取り可能な記録媒体、及びこの住宅設計支援プログラムを備えたコンピュータに関する。
【００１８】
さらに、本発明は、
住宅の環境を改善し得る設計案を提示する住宅設計支援方法であって、
コンピュータに、
敷地、及び居住者情報等の住宅設計に必要な情報を含む設計準備情報に基づいて、前記アドバイス・改善案データ記憶手段から対応するアドバイス・改善案データを抽出させる工程と、
前記抽出されたアドバイス・改善案データに対応するアドバイス・改善案を表示させる工程と、
を含むことを特徴とする。
【発明の効果】
【００１９】
本発明によれば、住宅を設計するにあたり、敷地、及び居住者情報等の住宅設計に必要な情報の入力に基づき、省エネルギー性能及び居住快適性を含む住宅性能の観点から、対応するアドバイス・改善案を抽出して表示することができる。
【００２０】
従って、設計者等は、この提示されたアドバイス・改善案を参照して、所望の省エネルギー性や居住快適性等の性能を有する住宅の設計を行うことができる。また、顧客（設計委託者）等についても、上記アドバイス・改善案を参照して適切な設計プランの作成に参加することができる。特に、アドバイス・改善案を、「窓の断熱性能を向上させるべきである」等の簡素な内容を用いることにより、設計者等はその表示内容を見て、設計にあたり一見してどの点を改良すればいいか判断することができる。
【図面の簡単な説明】
【００２１】
【図１】本実施の形態に係る住宅設計支援システムの構成を説明する図である。
【図２】上記住宅設計支援システムを活用した住宅の設計の受注から設計プランの決定までの大まかな流れを示したフローチャートである。
【図３】壁等の建物の断熱性能に基づくアドバイス・改善案データの抽出態様の一例を示すである。
【図４】空調方式、並びにこれに関連するトイレ、浴室、洗面所等の小窓の断熱性能に基づくアドバイス・改善案データの抽出態様の一例を示している。
【図５】窓の位置、外付けブラインド、及び日よけの有無による断熱性能に基づくアドバイス・改善案データの抽出態様の一例を示している。
【図６】設備機器情報の暖房機器及びエアコンの設置位置に基づくアドバイス・改善案データの抽出態様の一例を示している。
【図７】断熱性能情報及び設備機器情報における断熱性能、空調方式、空調機器、及び窓位置に基づくアドバイス・改善案データの抽出態様の一例を示している。
【図８】設備機器情報及びパーソナルデータに基づく給湯器、水圧の好み、及び省エネルギー機器への興味についてのアドバイス・改善案データの抽出態様の一例を示している。
【図９】設備機器情報に基づく冷暖房方式及び換気方式についてのアドバイス・改善案データの抽出態様の一例を示している。
【図１０】設備機器情報の照明方式（特にリビングルーム及びダイニングルームの照明方式）に基づくアドバイス・改善案データの抽出態様の一例を示している。
【発明を実施するための形態】
【００２２】
以下に、本発明を具体化した実施の形態について図面を参照しつつ説明する。なお、以下の実施の形態において説明するシステムの態様は、一例であり、本発明が本システムの態様に限定されることを意図したものではない。
【００２３】
図１は、本実施の形態に係る住宅設計支援システムの概略構成を説明する図である。図示のように、本実施の形態に係る住宅設計支援システム１０は、それぞれがネットワーク１００を介して相互に通信可能に接続されるとともにコンピュータで構成された、管理サーバ１２、顧客端末１４、及び設計者端末１６を有しており、されている。
【００２４】
管理サーバ１２は、ハードディスク等の記憶手段により実現された記録データベース２２と、記録データベース２２に記録されたデータを抽出処理する抽出処理部２０と、を有する。なお、抽出処理部２０は、主としてＣＰＵ等のハードウェア及びこれを作動させる所定のソフトウェアを用いて実現されている。
【００２５】
記録データベース２２は、後述する設計準備情報に対応して少なくとも省エネルギー性能及び居住快適性を含む住宅性能についてのアドバイス・改善案データを記憶している。
【００２６】
省エネルギー性能に基づく住宅性能とは、例えば建築構成物の壁の断熱性能やエアコンの配置位置等の冷暖房効率の高さである。また、居住快適性に基づく住宅性能は、一例として所望の照明の明るさを実現しているかどうかという点である。また、居住快適性には、例えば、居住者か感じる体感温度や室内照度等の居住者が住宅に居住するにあたり快適であると判断するための種々の要素が含まれる。
【００２７】
抽出処理部２０は、本実施の形態に係る住宅設計支援プログラムに基づき、顧客端末１４に入力された設計準備情報から生じる一次設計データに基づいて、記録データベース２２から適切なアドバイス・改善案データを抽出する。なお、この抽出の具体的な方法については後に詳細に説明する。
【００２８】
顧客端末１４は、住宅の設計を設計者に対して委託する顧客等が操作する端末であり、特に、設計すべき住宅の敷地の大きさや地域等の敷地情報、並びに居住者に関する情報として顧客の氏名及び住所等のパーソナルデータを含む上述の設計準備情報を入力する入力手段１７を有している。特に、本実施の形態では、このパーソナルデータには、顧客の家族構成、趣向（省エネルギー化への興味）、設備機器へのこだわり（例えばシャワーの水圧にこだわるか等）、ライフスタイル（就寝時に冷暖房を作動させるかどうか、湯張りを毎日行うかどうか、在宅時間はどのくらいか等）が含まれる。
【００２９】
なお、本実施の形態では、顧客端末１４に入力された設計準備情報は管理サーバ１２に送信されて、設計の受注情報としても認識されることとなる。また、上記入力手段１７はキーボードやマウス等の周知のハードウェア及びこれに対応する所定のドライバソフトウェアにより実現することができる。さらに、顧客が設計準備情報をスムーズに入力することができるように、当該設計準備情報用の所定の入力フォーマットを提供するようにしても良い。
【００３０】
また、設計者端末１６は、上述の設計準備情報を受信し、当該情報に基づき、一次設計データを作成する一次設計データ作成手段２４と、一次設計データに基づいて管理サーバ１２の抽出処理部２０により抽出されたアドバイス・改善案データを受信し、当該受信データを表示する表示手段２６を有している。
【００３１】
ここで、一次設計データとは、上記設計準備情報に基づき設計者が作成する設計素案である。本実施の形態に係る一次設計データは、建物の断熱性能、平面プラン、及び設備機器情報等の建築対象である住宅そのものの情報に加えて、上記顧客のパーソナルデータが含まれるように構成される。
【００３２】
なお、一次設計データにおいては、例えば、基本的には顧客の希望に沿いつつも、建築基準法等の種々の法令基準や耐震性等の観点から策定された基準を満たすかということを考慮して作成されることが好ましい。また、一次設計データ作成手段２４は、ＣＰＵ等のハードウェア及び所定のソフトウェアを用いて公知の態様で実現される。
【００３３】
そして、ネットワーク１００は、インターネット等の管理サーバ１２、顧客端末１４、及び設計者端末１６の間における相互通信を可能とするように必要なソフトウェア及びハードウェア機能を備えたものである。なお、顧客の家族構成情報等の秘匿性の高い情報の送受信を行う際には、これらサーバ及び端末間でのみ通信を行うためのプライベートネットワークやいわゆるＶＰＮ（virtual private network）等の秘匿回線をネットワーク１００として用いることが好ましい。
【００３４】
以下、上記構成を有する住宅設計支援システム１０におけるアドバイス・改善案データの提示に至るまでのプロセスの一例を説明する。
【００３５】
図２は、住宅設計支援システム１０を活用した住宅の設計の受注から設計プランの決定までの大まかな流れを示したフローチャートである。
【００３６】
図示のように、先ず、ステップＴ１０１において、顧客からの設計の依頼が行われる。具体的には、顧客により顧客端末１４に上記設計準備情報が入力されて、当該情報を管理サーバ１２が受信することで、当該設計準備情報における顧客の氏名・住所等が記録されて設計の受注処理が行われる。
【００３７】
次に、ステップＴ１０２において、顧客入力データを受信した管理サーバ１２から設計者端末１６に設計準備情報が送信され、これに基づき上記一次設計データが作成される。一次設計データは、例えば公知のソフトウェアや設計者による手作業で作成される。
【００３８】
そして、ステップＴ１０３において、上記一次設計データが管理サーバ１２に送信され、管理サーバ１２において一次設計データにおける断熱性能、平面プラン、設備機器、及びパーソナル情報に基づいて適切なアドバイス・改善案データが抽出される。この抽出の流れについて以下に説明する。
【００３９】
図３には、壁等の建築物の断熱性能に基づくアドバイス・改善案データの抽出態様の一例を示している。
【００４０】
先ず、ステップＳ３０１において、一次設計データにおける断熱性能に定められた壁等の建築物の断熱厚さ及び窓（小窓を除く）の種類が確認される。そして、ステップＳ３０２において、これら壁等の建物の構造物が「等級４」レベルの断熱性能であるかどうかが判定される。「等級４」レベルに達していない場合には、ステップＳ３０３において「等級４」の断熱性能とするように促す改善案が抽出される。なお、ここで、「等級４」レベルとは、住宅の品質確保の促進等に関する法律（平成１１年法律第８１号）に基づく評価方法基準（平成１３年国土交通省告示第１３４７号）５−１省エネルギー対策等級に定められている等級４の基準を意味する。
【００４１】
一方で、上記ステップＳ３０２において建物の構造物が「等級４」レベルの断熱性能を有していると判定された場合には、ステップＳ３０４に進み、建物の窓がＬｏｗ−Ｅガラスレベルであるかどうかが判定される。Ｌｏｗ−Ｅガラスレベルに達していないと判定された場合には、ステップＳ３０５において窓をＬｏｗ−Ｅガラスレベルとするように促す改善案が抽出される。
【００４２】
なお、ここでＬｏｗ−Ｅガラスレベルとは、複層ガラスのうち遮熱性能の高い特殊金属膜を設けたものであるＬｏｗ  Ｅｍｉｓｓｉｖｉｔｙ（低放射）ガラスを意味する。
一方で、上記ステップＳ３０４において、建物の窓がＬｏｗ−Ｅガラスレベルに達していると判定された場合には、ステップＳ３０６に進み、断熱性能は十分であるとの判断がなされ、建物・窓の断熱性能については現状を維持するアドバイスを抽出する。
【００４３】
なお、上記建物の構造物における断熱性能の判定基準として「等級４」を用いているが、判定基準はこれに限らず、敷地の地域が北海道や東北等の寒冷地域であるか或いは沖縄等の温暖地域であるかどうかに応じて適宜、基準を変更することも可能である。また、敷地の地域が寒冷地域であるか温暖地域であるかの判断にあたり、例えば気象庁が提供する気象データベースと本実施の形態にかかるシステム１０をリンクさせて、当該気象データベースの情報を参照するようにしても良い。
【００４４】
図４には、空調方式、並びにこれに関連するトイレ、浴室、洗面所等の小窓の断熱性能に基づくアドバイス・改善案データの抽出態様の一例を示している。
【００４５】
先ず、ステップＳ４０１において、一次設計データの設備機器情報及び断熱性能情報に基づく空調方式、並びにトイレ及び浴室等の小窓の種類が確認される。そして、ステップＳ４０２において、設計対象の住宅において全館２４時間空調システムが採用されるかどうかが判定される。ここで、全館２４時間空調が採用されると判定された場合には、ステップＳ４０３において、空調方式、並びにこれに関連するトイレ、浴室、洗面所等の小窓の断熱性能について現状を維持するアドバイスが抽出される。
【００４６】
一方で、ステップＳ４０２において、全館２４時間空調が採用されないと判定された場合には、ステップＳ４０４において小窓の材料がＬｏｗ−Ｅガラスレベルであるかどうかが判定される。ここで、小窓の材料がＬｏｗ−Ｅガラスレベルであると判定されると、ステップＳ４０５において、空調方式、並びにこれに関連するトイレ、浴室、洗面所等の小窓の断熱性能について現状を維持するアドバイスが抽出される。
【００４７】
一方で、小窓の材料がＬｏｗ−Ｅガラスレベルではないと判定された場合には、ステップＳ４０６において、小窓をＬｏｗ−Ｅガラスレベルとするように促す改善案が抽出される。
【００４８】
図５には、窓の位置、外付けブラインド、及び日よけの有無による断熱性能に基づくアドバイス・改善案データの抽出態様の一例を示している。
【００４９】
先ず、ステップＳ５０１において、一次設計データにおける断熱性能情報及び平面プラン情報における窓の位置、外付けブラインド、及び日よけの有無について確認される。そして、ステップＳ５０２において、設計対象の住宅において東面・西面における隣棟間隔が所定距離以上であるかどうかが判定される。ここで、隣棟間隔が所定距離以上ではないと判定された場合には、ステップＳ５０３において、窓の位置、外付けブラインド、及び日よけの有無について現状を維持するアドバイスを抽出する。
【００５０】
一方で、ステップＳ５０２において隣棟間隔が所定距離以上であると判定された場合には、さらに、ステップＳ５０４において東面・西面に外付けブラインド又は日よけあるかどうかが判定される。ここで、東面・西面に外付けブラインド又は日よけがあると判定されると、ステップＳ５０５において、窓の位置、外付けブラインド、及び日よけの有無については、現状を維持するアドバイスを抽出する。
【００５１】
一方で、東面・西面に外付けブラインド又は日よけがないと判定された場合には、ステップＳ５０６において、外付けブラインド又は日よけの設置を促す改善案が抽出される。  
【００５２】
なお、上記「所定距離」については、住宅の敷地場所等に応じて異なる日当たりの情報などを考慮して適宜定めることができる。
【００５３】
図６には、一次設計データの設備機器情報の暖房機器及びエアコンの設置位置に基づくアドバイス・改善案データの抽出態様の一例を示している。
【００５４】
先ず、ステップＳ６０１において、ＬＤＫ（リビング・ダイニング・キッチン）がＨＰ（個別・セントラル）を使った冷暖房であるかどうかが判定される。ここで、ＬＤＫがＨＰ（個別・セントラル）を使った冷暖房であると判定された場合には、ステップＳ６０２において、エアコンが個別空調であるかどうかが判定される。個別空調でないと判定された場合には、ステップＳ６０３において、一次設計データの設備機器情報の暖房機器及びエアコンの設置位置にについて現状を維持するアドバイスが抽出される。
【００５５】
一方で、エアコンが個別空調であると判定された場合には、ステップＳ６０４において、ソファやテーブル等の障害物がエアコンから所定距離以下の正面位置にあるかどうかが判定される。ここで、障害物がエアコンから所定距離以下の正面位置にあると判定されると、ステップＳ６０５において、エアコン設置位置の再検討を促す改善案が抽出される。
【００５６】
一方、上記ステップＳ６０４において、ソファやテーブル等の障害物がエアコンから所定距離以下の正面位置にはないと判定された場合には、ステップＳ６０６において、居住者が就寝時にエアコンを使用するかどうかが判定される。本実施の形態において居住者が就寝時にエアコンを使用するかどうかの判定は、一次設計データにおける顧客のパーソナルデータ（特に顧客の家族構成及びライフスタイル）を参照して行われる。
【００５７】
上記ステップＳ６０６において就寝時にエアコンを使用しないと判定された場合には、ステップＳ６０８において現状を維持するアドバイスが抽出される。また、上記ステップＳ６０６において就寝時にエアコンを使用すると判定された場合には、ステップＳ６０７において、エアコンがベッドの上にあるかどうかが判定される。ここで、エアコンがベッドの上に無いと判断された場合には、ステップＳ６０８において設備機器情報の暖房機器及びエアコンの設置位置については現状を維持するアドバイスが抽出される。また、上記ステップＳ６０７においてエアコンがベッドの上にあると判断された場合には、ステップＳ６０９において、エアコン設置位置の再検討を促す改善案が抽出される。
【００５８】
一方、上記ステップＳ６０１において、ＤＫがＨＰ（個別・セントラル）を使った冷暖房ではないと判定されると、ステップＳ６１０において、床暖房設備を有するかどうかが判定される。ここで床暖房設備を有していないと判定されると、ステップＳ６１１において、床暖房の燃料価格について注意を促す旨のアドバイスが抽出される。また、上記ステップＳ６１０において床暖房設備を有していると判定されると、ステップＳ６１２において、在宅時間が所定時間以上であるかどうかが判定される。本実施の形態においてこの在宅時間の判定は、設計準備情報や一次設計データにおいて用いられている顧客のパーソナルデータに基づき判定されるものである。ここで、在宅時間が所定時間以上ではないと判定されると、ステップＳ６１３において、床暖房の長時間利用に注意する旨のアドバイスが表示される。
【００５９】
一方で、ステップＳ６１２において在宅時間が所定時間以上であると判定されると、ステップＳ６１４において暖房がヒーター式であるかどうかが判定される。ここで、暖房がヒーター式ではないと判定されると、ステップＳ６１５において、暖房機器及びエアコンの設置位置について現状を維持するアドバイスを抽出する。
【００６０】
また、上記ステップＳ６１４において暖房がヒーター式であると判定されると、ステップＳ６１６において、設備がオール電化であるかどうかが判定される。設備がオール電化ではないと判定されると、ステップＳ６１７においてガス温水式床暖房の導入を改善案として抽出する。さらに、上記ステップＳ６１６において設備がオール電化であると判定された場合には、ステップＳ６１８に進みヒートポンプ型温水式床暖房の導入を改善案として抽出する。
【００６１】
図７は、一次設計データの断熱性能情報及び設備機器情報における断熱性能、空調方式、空調機器、及び窓位置に基づくアドバイス・改善案データの抽出態様の一例を示している。
【００６２】
先ず、ステップＳ７０１において、設計対象の住宅において全館２４時間空調システムが採用されるかどうかが判定される。ここで、全館２４時間空調システムが採用されると判定されると、ステップＳ７０２において、断熱性能、空調方式、空調機器、及び窓位置について現状を維持するアドバイスが抽出される。
【００６３】
一方で、ステップＳ７０１において設計対象の住宅において全館２４時間空調システムが採用されないと判定されると、ステップＳ７０３において、設計対象である住宅のリビングルーム（または適宜、ダイニングルームやキッチンルームでも良い）において異なる方位に、床面積の１／３５以上の面積にあたる窓が存在するかどうかが判定される。ここで、設計対象である住宅のリビングルームにおいて異なる方位に、床面積の１／３５以上の面積にあたる窓が存在しないと判定されると、ステップＳ７０４において、窓・欄間・窓が直線状につながっているかどうかが判定される。ここで、窓・欄間・窓が直線状につながっていないと判定された場合には、ステップＳ７０５に進み、通風経路を確保するように促す改善案が抽出され、その後、ステップＳ７０７に進む。
【００６４】
一方、上記ステップＳ７０３において設計対象である住宅において異なる方位に、床面積の１／３５以上の面積にあたる窓が存在すると判定された場合、並びに上記ステップＳ７０４において、窓・欄間・窓が直線状につながっていると判定された場合には、ステップＳ７０６において、リビングルームの通風経路が適切に確保されていると判断され、ステップＳ７０７に進む。
【００６５】
そして、ステップＳ７０７において、日中の時間帯において開口部（窓等）の一面の方位が風上側である頻度が４０％以上であるかどうかが判定される。ここで、日中の時間帯において開口部（窓等）の一面の方位が風上側である頻度が４０％以上ではないと判断されると、ステップＳ７０８において、開口部の方位や頂側窓の設置位置を再度検討することを促す改善案が抽出され、その後ステップＳ７０９に進む。また、上記ステップＳ７０８において日中の時間帯において開口部（窓等）の一面の方位が風上側である頻度が４０％以上であると判定される場合も、ステップＳ７０９に進む。
【００６６】
ステップＳ７０９においては、設計対象である住宅の寝室（または適宜、子供部屋や個室でも良い）において異なる方位に、床面積の１／３５以上の面積にあたる窓が存在するかどうかが判定される。ここで、設計対象である住宅の寝室において異なる方位に、床面積の１／３５以上の面積にあたる窓が存在しないと判定されると、ステップＳ７１０において、窓・欄間・窓が直線状につながっているかどうかが判定される。ここで窓・欄間・窓が直線状につながっていないと判定された場合には、ステップＳ７１１に進み、寝室の通風経路を確保するように促す改善案が抽出される。
【００６７】
一方、上記ステップＳ７０９において設計対象である住宅の寝室において異なる方位に、床面積の１／３５以上の面積にあたる窓が存在すると判定された場合、並びに上記ステップＳ７１０において窓・欄間・窓が直線状につながっていると判定された場合には、ステップＳ７１２において、寝室の通風経路が適切に確保されている（つまり寝室における居住者の快適性が確保されていることを意味する）と判断され、ステップＳ７１３に進む。
【００６８】
ステップＳ７１３においては、夜間の時間帯において開口部（窓等）の一面の方位が風上側である頻度が４０％以上であるかどうかが判定される。ここで、夜間の時間帯において開口部（窓等）の一面の方位が風上側である頻度が４０％以上ではないと判断されると、ステップＳ７１４において、開口部の方位や頂側窓の設置位置の再検討を促す改善案が抽出され、その後ステップＳ７１５に進む。一方、上記ステップＳ７１３において夜間の時間帯において開口部（窓等）の一面の方位が風上側である頻度が４０％以上ではないと判定された場合も、ステップＳ７１５に進む。ステップＳ７１５においては、現状を維持するアドバイスが抽出される。
【００６９】
図８には、一次設計データの設備機器情報及びパーソナルデータに基づく給湯器、水圧の好み、及び省エネルギー機器への興味についてのアドバイス・改善案データの抽出態様の一例を示している。
【００７０】
先ず、ステップＳ８０１において、設計対象の住宅において、いわゆるオール電化が採用されるかどうかが判定される。ここで、オール電化が採用されると判定されると、ステップＳ８０２において、給湯器が、いわゆる自然冷媒ヒートポンプ給湯機であるかどうかの判定がなされる。ここで、給湯器が自然冷媒ヒートポンプ給湯機ではないと判定されると、ステップＳ８０３において、給湯器を自然冷媒ヒートポンプ給湯機に変更する旨の改善案が抽出されて、ステップＳ８０４に進む。一方、上記ステップＳ８０２において、給湯器が自然冷媒ヒートポンプ給湯機であると判定されると、ステップＳ８０４に進む。
【００７１】
そして、ステップＳ８０４において、住宅使用者がシャワーの水圧にこだわるかどうかの判定がなされる。なお、この判定は、設計準備情報や一次設計データにおいて用いられている顧客のパーソナルデータ（特にライフスタイルデータ）に基づき判定されるものである。上記ステップＳ８０４において、住宅使用者がシャワーの水圧にこだわると判定された場合には、ステップＳ８０５において自然冷媒ヒートポンプ給湯機はガス給湯器と比較して水圧が低くなることに注意する旨のアドバイスデータが抽出され、その後ステップＳ８０６に進む。一方、上記ステップＳ８０４において住宅使用者がシャワーの水圧にこだわらないと判定された場合にも、ステップＳ８０６に進む。
【００７２】
そして、ステップＳ８０６において、給湯配管が所定長さ（例えば５ｍ等）以上であるかどうかが判定される。給湯配管が所定長さ以上ではないと判定されると、ステップＳ８０７において、給湯配管が長いことにより湯待ち時間が長くなる可能性がある旨のアドバイスデータの抽出を行い、その後、ステップＳ８０８に進む。一方、上記ステップＳ８０６において、給湯配管が所定長さ以上であると判定された場合には、直接ステップＳ８０８に進む。
【００７３】
そして、ステップＳ８０８においては、節湯型機器が導入されるかどうかが判定される。ここで、節湯型機器が導入されないと判定されると、ステップＳ８０９において節湯型機器の導入を促す改善案データが抽出される。一方、ステップＳ８０８において節湯型機器が導入されると判定されると、ステップＳ８１０において、「給湯器、水圧の好み、及び省エネルギー機器への興味」については現状を維持する旨のアドバイスを抽出する。
【００７４】
一方、ステップＳ８０１においてオール電化が採用されると判定されると、ステップＳ８１１において、ガス瞬間式給湯器が採用されるかどうかが判定される。ここで、ガス瞬間式給湯器が採用されると判定された場合にはそのままステップＳ８１３に進む。一方で、ガス瞬間式給湯器が採用されないと判定された場合には、ステップＳ８１３において、顧客又はその家族が最近の省エネルギー機器に興味があるかどうかが判定される。ここで、顧客又はその家族が最近の省エネルギー機器に興味がないと判定されると、ステップＳ８１４において「給湯器、水圧の好み、及び省エネルギー機器への興味」については現状を維持する旨のアドバイスを抽出し、その後、上記ステップＳ８０８以下の処理が行われる。
【００７５】
一方、上記ステップＳ８１３において、顧客又はその家族が最近の省エネルギー機器に興味があると判定されると、ステップＳ８１５において浴槽の湯はりを毎日行うかどうかの判定がされる。ここで、湯はりを毎日は行わないと判定されると、ステップＳ８１４において「給湯器、水圧の好み、及び省エネルギー機器への興味」については現状を維持する旨のアドバイスを抽出し、その後、上記ステップＳ８０８以下の処理が行われる。一方で、上記ステップＳ８１５において浴槽の湯はりを毎日行うと判定されると、ステップＳ８１６に進む。
【００７６】
ステップＳ８１６においては、顧客の家族が４人以上であるかどうかが判定される。ここで、顧客の家族が４人以上ではないと判定されると、ステップＳ８１４において「給湯器、水圧の好み、及び省エネルギー機器への興味」については現状を維持する旨のアドバイスを抽出し、その後、上記ステップＳ８０８以下の処理が行われる。一方で、顧客の家族が４人以上であると判定されると、ステップＳ８１７において、コジェネレーションシステムの導入を促す改善案が抽出される。
【００７７】
なお、上述のステップＳ８１３、ステップＳ８１５、及びステップＳ８１６における判定は、一次設計データにおいて用いられている顧客のパーソナルデータ（特に省エネルギー化への興味、ライフスタイル、家族構成）を参照して行われる。
【００７８】
図９には、一次設計データの設備機器情報に基づく冷暖房方式及び換気方式についてのアドバイス・改善案データの抽出態様の一例を示している。
【００７９】
先ず、ステップＳ９０１において、設計対象である住宅に２４時間空調システム（又は蓄熱式暖房等）が導入されるかどうかが判定される。ここで、２４時間空調システムが導入されると判定された場合には、ステップＳ９０２において、当該住宅に熱交換型換気システムが導入されるかどうかが判定される。ここで、熱交換型換気システムが導入されると判定されると、ステップＳ９０３において、「冷暖房方式・換気方式」については現状を維持する旨のアドバイスを抽出する。
【００８０】
また、上記ステップＳ９０２において熱交換型換気システムが導入されないと判定されると、ステップＳ９０４において、熱交換型換気システムの導入を促す改善案が提示され、その後、ステップＳ９０９に進む。
【００８１】
一方、上記ステップＳ９０１において、設計対象である住宅に２４時間空調システムが導入されないと判定されると、ステップＳ９０５において、住宅に熱交換型換気システムが導入されるかどうかが判定される。ここで、熱交換型換気システムが導入されると判定された場合には、ステップＳ９０６において、熱交換型換気は、換気の電力が大きいため空調時間が短い場合はエネルギー増加の原因となること及び所定のメンテナンスが必要であるというアドバイスデータを抽出する。一方で、上記ステップＳ９０５において住宅に熱交換型換気システムが導入されないと判定された場合には、ステップＳ９０７において給気口が机の上にあるかどうかの判定がなされる。
【００８２】
ここで、給気口が机の上にあると判定されると、ステップＳ９０８において給気口の位置を再検討する旨の改善案が抽出され、その後、ステップＳ９０９に進む。一方で、上記ステップＳ９０７において給気口が机の上にないと判定された場合においても、ステップＳ９０９に進む。
【００８３】
そして、ステップＳ９０９において、設計対象の住宅において２４時間換気方式がパイプファン方式により実現されるかどうかの判定がなされる。ここで、２４時間換気方式がパイプファン方式では実現ないと判定されると、ステップＳ９１０において、「冷暖房方式・換気方式」については現状を維持する旨のアドバイスを抽出する。
【００８４】
一方、上記ステップＳ９０９において、２４時間換気方式がパイプファン方式により実現されると判定されると、ステップＳ９１１において、このパイプファンが浴室にあるかどうかの判定がなされる。パイプファンが浴室にあると判定されると、ステップＳ９１２において「冷暖房方式・換気方式」については現状を維持する旨のアドバイスを抽出する。
【００８５】
一方で、上記ステップＳ９１１において、パイプファンが浴室にないと判定されると、ステップＳ９１２に進み、パイプファンを浴室に配置することを促す改善案が抽出される。なお、このように、パイプファンを浴室に配置することで、リビングなどの排熱により浴室の温度が多少上昇することとなる。
【００８６】
図１０には、一次設計データの設備機器情報の照明方式（特にリビングルーム及びダイニングルームの照明方式）に基づくアドバイス・改善案データの抽出態様の一例を示している。
【００８７】
先ず、ステップＳ１００１において、照明方式として白熱灯を使用するかどうかが判定される。ここで、照明方式として白熱灯を使用すると判定されると、ステップＳ１００２において、白熱灯を蛍光灯に変更することを促す改善案が抽出される。
【００８８】
一方、上記ステップＳ１００１において、照明方式として白熱灯を使用しないと判定されると、ステップＳ１００３に進み、照明のワット数が、１畳あたり１０Ｗ以下であるかどうかの判定がなされる。ここで、照明のワット数が、１畳あたり１０Ｗ以下ではないと判定されると、ステップＳ１００４において、照明の個数を適正にするように促す改善案が抽出される。また、上記ステップＳ１００３において照明のワット数が、１畳あたり１０Ｗ以下であると判定されると、ステップＳ１００５に進む。
【００８９】
そして、ステップＳ１００５においては、一室一灯式が採用されるかどうかが判定される。ここで、一室一灯式であると判定されるとステップＳ１００６に進み、一室一灯式ではないと判定されるとステップＳ１００８に進む。
【００９０】
ステップＳ１００６においては、住宅使用者の家族に高齢者（例えば、７０歳以上）がいるかどうかが判定される。なお、この判定は、設計準備情報や一次設計データにおいて用いられている顧客の家族構成及びライフスタイルデータに基づき行われる。上記ステップＳ１００６において高齢者がいないと判定されると、ステップＳ１００７に進み、ダウンライトや間接照明等の導入を促す改善案が抽出される。このように、ダウンライトや間接照明等を取り入れることで省エネルギー性能が向上するとともに、雰囲気のある照明効果を実現することができる。一方で、ステップＳ１００６において高齢者がいないと判定されると、ステップＳ１００８において、調光システムを採用するかどうかが判定される。ここで調光システムを採用しないと判定されると、ステップＳ１００９に進み、調光システムの採用を促す改善案が抽出される。一方、調光システムを採用していると判定されると、ステップＳ１０１０に進み、照明方式について指摘すべき改善案が無い旨の表示がなされる。
【００９１】
以上のように、各種アドバイス・改善案データの抽出がなされると、ステップＴ１０４において、抽出されたアドバイス・改善案データが設計者端末１６に送信され、表示手段２４に表示される。ここで表示の具体的な態様としては、例えば住宅の一次設計データに基づく平面プランと、一次設計データに抽出されたアドバイス・改善案を反映させた改善設計案に基づく平面プランと、を対比表示すること、或いは当該アドバイス・改善案の反映の前後におけるエネルギー消費量の対比を表示することで行われる。
【００９２】
そして、ステップＴ１０５において、これらアドバイス・改善案データに基づき設計プランの決定がなされる。この設計プランの決定は、例えば、上述の一次設計データに抽出されたアドバイス・改善案を反映させた改善設計案が、設計者により選択されることで行われる。
【００９３】
以上、本実施の形態に係るシステムによれば、住宅を設計するにあたり、敷地、及び居住者情報等の住宅設計に必要な情報の入力に基づき、省エネルギー性能及び居住快適性を含む住宅性能の観点から、対応するアドバイス・改善案を抽出して表示することができる。
【００９４】
従って、設計者等は、この提示されたアドバイス・改善案を参照して、所望の省エネルギー性や居住快適性等の性能を有する住宅の設計を行うことができる。また、顧客等についても、上記アドバイス・改善案を参照して適切な設計プランの作成に参加することができる。特に、アドバイス・改善案を、「窓を等級４の断熱性能とする」等の簡素な内容を用いることにより、設計者等はその表示内容を見て、設計にあたり一見してどの点を改良すればいいか判断することができる。
【００９５】
さらに、本実施の形態に係る住宅設計支援システム１０では、床暖房の長時間利用に注意する旨のアドバイスや湯待ち時間の増加に注意する旨のアドバイス等、設計対象の住宅に居住する顧客に対して省エネルギー化や居住快適性の観点から好適なアドバイスを表示することができ、結果として住宅に居住する顧客の快適な生活に資することとなる。なお、この種のアドバイスは、顧客によっても直ぐに確認されるように、設計者端末１６だけでなく、顧客端末１４の表示手段にも表示することがより好ましい。
【００９６】
特に、本実施の形態に係る住宅設計支援システム１０では、設計準備情報入力手段１７により入力された設計準備情報に基づき、一次設計データを作成する一次設計データ作成手段２４をさらに有しており、アドバイス・改善案データには、一次設計データ作成手段２４により作成される一次設計データについてのアドバイス及び改善案が含まれている。
【００９７】
これにより、設計プランの基本案となる一次設計データを予め作成して、この一次設計データについてアドバイス・改善案を参照することができるので、設計者による円滑な高性能住宅の設計に資することとなる。
【００９８】
さらに、本実施の形態では、一次設計データに、住宅使用者のライフスタイルや家族構成等のパーソナルデータ、建物の断熱性能、平面プラン、及び設備機器の情報が含まれている。このように各種情報が一次設計データに含まれることにより、住宅の設計や居住の観点からより良好なアドバイスや改善案を作成することができる。特に、設計準備情報に住宅使用者の家族構成等のパーソナルデータが含まれることにより、住宅使用者の家族構成やライフスタイルを考慮して、住宅における省エネ効率の高い冷暖房運転方法や照明方法をも提案することができる。
【００９９】
なお、本発明は上記実施の形態に限定されるものではなく、発明の要旨の範囲内で種々の変更が可能である。例えば、アドバイス・改善案を抽出するために用いる上記設計準備情報や一次設計データの各項目の種類は、必要に応じて種々変更及び増減しても良い。例えば、上記平面プランの情報における「リビングルームの配置位置」をアドバイス・改善案の抽出のために用いても良い。
【０１００】
また、本発明に係る住宅設計支援システム１０においては、一次設計データが作成されることなく入力手段１７に入力された設計準備情報に基づいて直接、アドバイス・改善案データが記録データベース２２から抽出されるように構成しても良い。これにより、一次設計データを作成する処理を省略することができ、システムの簡略化に資することとなる。
【符号の説明】
【０１０１】
１０      住宅設計支援システム
１２      管理サーバ
１４      顧客端末（設計準備情報入力手段）
１６      設計者端末（アドバイス・改善案表示手段）
１７      入力手段
２０      抽出処理部（アドバイス・改善案データ抽出手段）
２２      記録データベース（アドバイス・改善案データ記憶手段）
２４      一次設計データ作成手段
１００      ネットワーク
【図１】
2015162150.tif 000003
【図２】
2015162150.tif 000004
【図３】
2015162150.tif 000005
【図４】
2015162150.tif 000006
【図５】
2015162150.tif 000007
【図６】
2015162150.tif 000008
【図７】
2015162150.tif 000009
【図８】
2015162150.tif 000010
【図９】
2015162150.tif 000011
【図１０】
2015162150.tif 000012